【手続補正書】
【提出日】平成30年12月5日(2018.12.5)
【手続補正１】
【補正対象書類名】特許請求の範囲
【補正対象項目名】全文
【補正方法】変更
【補正の内容】
【特許請求の範囲】
【請求項１】
被験者の生理的特徴の測定値を受信し、受信された前記測定値が少なくとも１つの事前定義されたアラーム発生基準に合致する場合にアラームを発生させる監視システムを調整するための方法であって、前記方法が、
前記被験者の入院に関するデータを取得するステップであって、前記データが前記入院の時刻を含む、取得するステップと、
前記入院の時刻より前の測定期間、又は前記入院の時刻を含む前記入院の時刻から前の測定期間の間に測定される前記生理的特徴の複数の測定値を取得するステップと、
検出ウィンドウを、前記入院の前記時刻に終了し所定の継続時間を有する期間と定義するステップと、
前記監視システムが、前記少なくとも１つの事前定義されたアラーム発生基準を、取得された前記複数の測定値に適用することに基づいて前記検出ウィンドウ中にアラームを発生させるかを判定するステップと、
前記監視システムが前記検出ウィンドウ中にアラームを発生させない場合に、前記少なくとも１つの事前定義されたアラーム発生基準を変更して、変更された前記事前定義されたアラーム発生基準を前記取得された複数の測定値に適用することに基づいて、アラームを前記監視システムが発生させる時刻が、前記検出ウィンドウ内となるようにするステップと
を含む、方法。
【請求項２】
前記監視システムが、前記少なくとも１つの事前定義されたアラーム発生基準を、前記取得された複数の測定値に適用することに基づいて、前記入院の前記時刻の前にアラームを発生させるかを判定するステップをさらに備え、
前記監視システムが前記入院の前記時刻の前にアラームを発生させないことが決定された場合に、前記少なくとも１つの事前定義されたアラーム発生基準を変更するステップが、前記監視システムの感度を調整するステップを含み、
前記監視システムが前記入院の前記時刻の前であって、前記検出ウィンドウの間ではないときにアラームを発生させることが決定された場合に、前記少なくとも１つの事前定義されたアラーム発生基準を変更するステップが、前記監視システムの特異度を調整するステップを含む、
請求項１に記載の方法。
【請求項３】
前記少なくとも１つの事前定義されたアラーム発生基準が時間ベースの条件を含み、前記少なくとも１つの事前定義されたアラーム発生基準を変更するステップが前記時間ベースの条件を変更するステップを含む、請求項１又は２に記載の方法。
【請求項４】
前記監視システムがアラームを発生させるためには、前記生理的特徴の事前定義された最小数Ｎの連続した受信された測定値が、事前定義された異常条件に合致する必要があるように、前記時間ベースの条件が定義され、前記時間ベースの条件を変更するステップはＮの値を変化させるステップを含む、請求項３に記載の方法。
【請求項５】
前記監視システムの前記感度を調整するステップは、
（ｉ）Ｎの前記値を第１の値に設定するステップであって、前記第１の値が、Ｎの現在の値より１小さい値と２との大きい方に等しい、設定するステップと、
（ｉｉ）取得された前記複数の測定値とＮの前記第１の値とに基づいて前記監視システムを動作させるステップと、
（ｉｉｉ）前記監視システムを動作させるステップが前記検出ウィンドウ内にアラームを発生させたかを判定するステップと、
（ｉｖ）前記監視システムを動作させるステップが前記検出ウィンドウ内にアラームを発生させず、Ｎの前記現在の値が２より大きい場合、ステップ（ｉ）〜（ｉｉｉ）を反復するか、又は、前記監視システムを動作させるステップが前記検出ウィンドウ内にアラームを発生させず、Ｎの前記現在の値が２以下である場合、Ｎの値を２に設定するステップと
を含む、請求項２に従属する請求項４に記載の方法。
【請求項６】
前記監視システムの前記特異度を調整するステップは、
（ａ）Ｎの値を第２の値に設定するステップであって、前記第２の値がＮの現在の値より１大きい、設定するステップと、
（ｂ）取得された前記複数の測定値とＮの前記第２の値とに基づいて前記監視システムを動作させるステップと、
（ｃ）前記監視システムを動作させるステップが前記検出ウィンドウ内にアラームを発生させたかを判定するステップと、
（ｄ）前記監視システムを動作させるステップが前記検出ウィンドウ内にアラームを発生させなかった場合に、ステップ（ａ）〜（ｃ）を反復するステップと
を含む、請求項２に従属する請求項４又は５に記載の方法。
【請求項７】
取得された前記複数の測定値が少なくとも１つの事前定義された品質基準に合致するかを判定するステップと、
前記取得された複数の測定値が前記事前定義された品質基準に合致しない場合に、前記少なくとも１つの事前定義されたアラーム発生基準の現在の値を保持するステップと
をさらに含む、請求項１乃至６の何れか一項に記載の方法。
【請求項８】
前記測定期間が前記入院の時刻より少なくとも２日前に開始する、請求項１乃至７の何れか一項に記載の方法。
【請求項９】
前記被験者の入院に関する前記データが前記入院の原因を示す情報を含み、前記方法は、
前記入院の前記原因が前記監視システムにより監視される健康状態に関するかを判定するステップと、
前記入院の前記原因が前記監視システムにより監視される健康状態に関しない場合に、前記少なくとも１つの事前定義されたアラーム発生基準の現在の値を保持するステップと
をさらに含む、請求項１乃至８の何れか一項に記載の方法。
【請求項１０】
コンピュータ可読コードを含むコンピュータプログラムであって、適切なコンピュータ又はプロセッサによる実行時に、前記コンピュータ又はプロセッサが請求項１乃至９の何れか一項に記載の方法を実施し、前記コンピュータ又はプロセッサが被験者の生理的特徴の測定値を受信するように、前記コンピュータ可読コードが構成される、コンピュータプログラム。
【請求項１１】
被験者の生理的特徴の測定値を受信し、受信された前記測定値が少なくとも１つの事前定義されたアラーム発生基準に合致する場合にアラームを発生させる監視システムを調整するための装置であって、前記装置は、
前記被験者の入院に関するデータを取得することであって、前記データが前記入院の時刻を含む、取得することと、
前記入院の時刻より前の測定期間、又は前記入院の時刻を含む前記入院の時刻から前の測定期間の間に測定される前記生理的特徴の複数の測定値を取得することと、
検出ウィンドウを、前記入院の時刻に終了し所定の継続時間を有する期間と定義することと、
前記監視システムが、前記少なくとも１つの事前定義されたアラーム発生基準を、取得された前記複数の測定値に適用することに基づいて、前記検出ウィンドウ中にアラームを発生させるかを判定することと、
前記監視システムが前記検出ウィンドウ中にアラームを発生させない場合に、前記少なくとも１つの事前定義されたアラーム発生基準を変更して、前記監視システムが、変更された前記事前定義されたアラーム発生基準を、前記取得された複数の測定値に適用することに基づいて、アラームを発生させる時刻が前記検出ウィンドウ内となるようにすることと
を行う処理ユニット
を備える、装置。
【請求項１２】
前記処理ユニットが、受信された測定値を記憶するために前記監視システムにより使用されるメモリと通信し、前記メモリにアクセスすることによって前記複数の測定値を取得する、請求項１１に記載の装置。
【請求項１３】
前記装置は十分な措置が取れないというアラームのログをさらに含み、前記処理ユニットは、
前記監視システムが、前記少なくとも１つの事前定義されたアラーム発生基準を、前記取得された複数の測定値に適用することに基づいて、前記検出ウィンドウ中にアラームを発生させる場合に、十分な措置が取れないというアラームの前記ログにエントリを追加するようにさらに構成される、
請求項１２に記載の装置。
【請求項１４】
被験者の生理的特徴を監視するための監視装置であって、前記監視装置が、被験者の生理的特徴の測定値を受信し、受信された前記測定値が少なくとも１つの事前定義されたアラーム発生基準に合致する場合にアラームを発生させ、前記監視装置が、監視システムを調整するための請求項１１乃至１３の何れか一項に記載の装置を備える、監視装置。
【請求項１５】
心不全を監視するためのものであって、測定された生体インピーダンス値を受信する、請求項１４に記載の監視装置。